(57)【要約】【課題】情報層を複数持つ上記の多層情報媒体は、レーザ光が目的とする層以外へも照射されるため再生耐久性は著しく劣るという欠点を持つ。【解決手段】記録特性が劣化した情報層について、その記録層に記録されているデータを他の記録面に退避させた後に劣化記録面をフォーマット上で無視するようにせしむ機能を有することによりデータの保全を図る事を可能にする。それと同時に当該光情報媒体のフォーマットは退避させられたデータには退避した回数を示すフラグを持ち、光記録再生装置は退避させられたデータに退避した回数を示すフラグを読み込む事により、当該多層媒体のデータ退避状況についてモニターし、メディアのデータを破損する前に記録を終了することにより、データの破壊を免れる。【選択図】図２
2006107651.tif 000002
【特許請求の範囲】
【請求項１】
光記録再生装置で記録再生可能な複数の追記可能な情報層を備えた多層光情報媒体のデータ保存方法において、
前記複数の情報層のうち、記録特性の劣化した情報層は、記録されているデータを、他の情報層へ前記データを退避し、前記記録特性の劣化した情報層に対して、前記記録再生装置からアクセス不能としたことを特徴とする多層光情報媒体のデータ保存方法。
【請求項２】
さらにデータを退避した際、退避したデータに退避した回数を示す情報を付加したことを特徴とする請求項１記載の多層光情報媒体のデータ保存方法。
【請求項３】
さらにデータを退避する回数に制限回数を設定することを特徴とする請求項１または２記載の多層光情報媒体のデータ保存方法。
【請求項４】
さらに退避の制限回数を越えた際に、前記多層光情報媒体への記録を停止することを特徴とする請求項３記載の多層光情報媒体のデータ保存方法。
【請求項５】
さらに前記複数の情報層のアドレス情報を管理する情報層を設けたことを特徴とする請求項１〜４記載の多層光情報媒体のデータ保存方法。
【請求項６】
さらに前記アドレス情報を管理する情報層を、レーザ光の入射面に最も近く、もしくは最も遠くに配置したことを特徴とする請求項５に記載の多層光情報媒体のデータ保存方法。
【請求項７】
光記録再生装置で記録再生可能な複数の追記可能な情報層を備えた多層光情報媒体において、
前記複数の情報層のうち、記録特性の劣化した情報層は、記録されているデータを、他の情報層へ前記データを退避し、前記記録特性の劣化した情報層に対して、前記記録再生装置からアクセス不能としたことを特徴とする多層光情報媒体。
【請求項８】
さらにデータを退避した際、退避したデータに退避した回数を示す情報を付加したことを特徴とする請求項１記載の多層光情報媒体。
【請求項９】
さらに前記複数の情報層のアドレス情報を管理する情報層を設けたことを特徴とする請求項７または８記載の多層光情報媒体。
【請求項１０】
さらに前記アドレス情報を管理する情報層を、レーザ光の入射面に最も近く、もしくは最も遠くに配置したことを特徴とする請求項９に記載の多層光情報媒体。
【請求項１１】
請求項１〜１０記載の多層光情報媒体の保存方法、もしくは多層光情報媒体を記録再生するための光記録再生装置。
【発明の詳細な説明】
【技術分野】
【０００１】
本発明は、情報情報媒体、光学情報の記録方法、及び情報記録装置に関し、より詳しくは複数の情報層を有する高密度な光学情報の記録および再生方法に関する。
【背景技術】
【０００２】
近年、コンピュータ用情報のみならず音声や静止画像、動画像などの情報がデジタル化され、取り扱う情報量がきわめて大きくなってきている。それに伴い、これらの情報を保存するための光情報媒体もより大容量化する必要が生じている。このような光情報媒体に関しては、波長７８０ｎｍ近傍のレーザ光にて記録再生を行うＣＤ−ＲおよびＣＤ−ＲＷが全世界的に普及し、最近では波長６５０ｎｍ近傍のレーザ光にて記録再生を行うＤＶＤ―ＲやＤＶＤ−ＲＡＭ等の記録型ＤＶＤが、普及の兆しが現れている。更に最近ではレーザ光源の波長を４００ｎｍ近くまで短くし、対物レンズの開口数（ＮＡ）を０．６以上にすることにより、光ディスク面上に集光するスポット径を小さくすることで、これまで以上に高密度化を図る新たな規格作りが行われており、２００３年３月にはＢｌｕ−ｒａｙレコーダーとして実用化され、発売された。
【０００３】
ところで、これまでの光情報媒体の容量を飛躍的に増大する方法としては、レーザ光波長（λ）を短波長化し、対物レンズの開口数（ＮＡ）を増大させ、媒体のレーザ光を透過する光透過層を薄くすることにより記録再生用レーザスポット径（レーザ波長／ＮＡ）を縮小する等の技術が行われてきた。しかしながら、記録再生用のレーザの短波長化は極限に近づきつつあり、記録材料も従来のヒートモード記録に基づく技術では最小マークを形成することが困難になりつつあるのが実状である。
【０００４】
そのため、各方面では従来のアプローチ以外の方法による光情報媒体の大容量化の試みがなされている。例えば多値による記録、ディスクの一平面でなくホログラムによる体積記録、そして一枚の光情報媒体に複数の情報層を持つ多層情報媒体等が挙げられる。とりわけ多層情報媒体は他方式に比べて、従来のＤＶＤ技術からの変更点が比較的少ないため、もっとも実用化に近い技術であり、現行のＤＶＤの片面２層を越える多層技術として、例えばInternational Symposium on Optical Memory 2003 Technical Digest PP10-11、Optical Data Storage Topical Meeting 2003 Technical Digest等で報告されている。
【０００５】
1つの媒体内にデータの追記が可能な情報層を複数持つ多層情報媒体の形態は主に反射型と透過型の２種類ある。反射型は実用化されている現在追記型の片面２層ＤＶＤのような各層に記録層と反射率とを有している。しかし、情報層が３層以上になると、レーザ入射面に最も近い層と、最も遠い層と、中間の層で、層間クロストークのため信号品質が異なり、安定した再生信号、あるいはサーボ信号が得難い事が開発のネックになっている。透過型の多層情報媒体は、屈折率の違いを利用した方法が提案されており、前出のOptical Data Storage Topical Meeting 2003 Technical Digestにおいても８層のメディアを作成して、サーボ信号を得る事に成功している。また、層間クロストークを軽減する方法として例えば特許文献１のように蛍光材料を用いた多層媒体、あるいは特許文献２のような電圧の印加により再生もしくは記録する情報層の選択を行う方法が提案されている。また、反射型、透過型と異なるが、例えば特許文献３で提案されているような２光子吸収物質を用いた３次元記録などの技術も多層メモリに応用が可能である。
【０００６】
【特許文献１】特表2001-524245号公報
【特許文献２】特開2003-346378号公報
【特許文献３】特許第2810542号公報
【発明の開示】
【発明が解決しようとする課題】
【０００７】
しかしながら、これまでの単層の情報媒体と異なり、情報層を複数持つ上記の多層情報媒体は、レーザ光が目的とする層以外へも照射されるため再生耐久性は著しく劣るという欠点を持つ。更に、情報層を複数持つ多層情報媒体は、多層へのアクセスを可能にするためレーザ光の波長に対してある程度以上の透過性を持たねばならず、光の吸収効率が劣る。従って、データの追記が可能な情報層を複数持つ多層情報媒体に用いられる記録材料は、データの追記が可能な情報層を１層のみ持つ単層記録媒体に比べて、記録感度を高めるか、もしくは照射するレーザ光の強度を強くする必要があり、単層の情報記録媒体よりも過酷な条件でレーザ光が照射されることになる。
【０００８】
本発明は、かかる不可避の技術的課題をソフト的に解決するためになされたものであって、その目的とするところは情報媒体に記録されたデータの保全である。情報層の劣化を見込んで、記録特性が劣化した情報層について、その記録層に記録されているデータを他の記録面に退避させた後に劣化記録面をフォーマット上で無視するようにせしむことを特徴とする光情報媒体のフォーマットを提案する。
【課題を解決するための手段】
【０００９】
かかる目的のもと、当該多層情報媒体用の光記録再生装置は多層情報媒体から再生される信号品質を判断できる機能をもち、記録特性が劣化した情報層について、その記録層に記録されているデータを他の記録面に退避させた後に劣化記録面をフォーマット上で無視するようにせしむ機能を有することによりデータの保全を図る事を可能にする。それと同時に当該光情報媒体のフォーマットは退避させられたデータには退避した回数を示すフラグを持ち、光記録再生装置は退避させられたデータに退避した回数を示すフラグを読み込む事により、当該多層媒体のデータ退避状況についてモニターし、メディアのデータを破損する前に記録を終了することにより、データの破壊を免れる。
【発明の効果】
【００１０】
本発明が適用される情報記録方法において、光情報媒体は、記録特性が劣化した情報層について、その記録層に記録されているデータを他の記録面に退避させた後に劣化記録面をフォーマット上で無視するようにせしむ機能を有することを特徴とすれば、例えば、次世代光情報媒体技術の一つとして考えられるＣＤサイズで200GＢ/枚以上の記録密度を有する大容量光情報媒体に有効であり、より安全性の高いデータ保全の可能な光情報情報媒体が提供される。
【発明を実施するための最良の形態】
【００１１】
以下に本発明による光情報媒体の構造について図１および図２に基づき具体的に説明する。なお、下記実施例に例示される多層情報媒体の作成方法については、公知一般の方法を採用する事ができ、例えば特開2002-074742のような相変化媒体や従来のROM媒体（例えば、International Symposium on Optical Memory 2003 Technical Digest PP10-11）にも応用が可能である。
【実施例】
【００１２】
図１中の１が情報媒体全体を示し、２が情報媒体１中の選択される層を示す。
前述の情報媒体１の情報を管理する方法として、各々の情報層に関わるアドレス情報が、特定の情報層に記録される方法が挙げられる。この記録されたアドレス情報によって各層における状態が管理され、劣化してこれ以上の記録再生に耐えられないと判断した情報層に関して、データを退避させた後に、劣化した情報層へのアクセスを禁止し、フォーマット上で無視する事が望ましい。更に各々の情報層に関わるアドレス情報が記録される特定の情報層はアクセスの容易さを鑑みた場合、レーザ光の入射面に最も近い、もしくは最も遠いことが望ましく、例えばリードインエリアに情報が記録されている事が望ましい。
【００１３】
また、本発明による多層情報媒体は、３層以上の情報層を持つ記録媒体であり、少なくとも２層がレーザ光により記録が可能な情報層で無ければならない。その理由は、データ列が退避させるための新たな情報層と、各層の記録状態を管理するデータが記録されている層との、最低２層が必要だからである。しかしながら、本発明の趣旨は、前述のような多層メモリにおいてありがちな信号劣化に対して、ソフト的に対処する事を目的としており、記録可能な情報層の層数が多いほどその効力を発揮する。
【００１４】
本発明による多層情報媒体のデータフォーマットとして、データを退避させた回数を示すフラグを持たなければならない。これは際限なくデータ退避を繰り返す愚を侵す事を避けるために不可欠である。具体的な運用方法としては、例えば、本発明による光記録再生装置が退避回数の履歴が規定回数以上をカウントした時に、データの追記を中止し、他方法によるデータ保全を警告する機構を設ける方法などが有効である。
【００１５】
さらに、本発明による読取装置は、信号品質を検出する機構を持つ事が必須である。具体的には、Ｃ／ＮもしくはＳ／Ｎもしくはジッターを測定する機構をもつ。しかしながらＣ／ＮもしくはＳ／Ｎで判別する場合、正確な測定には多くのサンプリング数が必要となり、時間が掛かるため、簡易的にキャリアー成分のｄＢのみで判定することが望ましい。
【００１６】
次に本発明による具体的な多層情報媒体のデータ保全の方法について、図２で説明する。
まず、光情報記録再生装置は多層記録媒体１のデータの再生を行ない（Ｓ１０１）、信号品質の判別を行う（Ｓ１０２）。信号品質が規定よりも劣化している事が認められた場合、そのデータが記録されている情報層にあるデータ列の退避回数を示すフラグを読み込む（Ｓ１０３）。
【００１７】
データの退避回数（ｎ）が規定回数（ｍ）以下である事を確認した場合、データ列の退避を開始する（Ｓ１０４）。逆に、退避回数（ｎ）が規定回数（ｍ）以上であった場合、それ以降の当該情報媒体への記録を中止し、例えば他方法によるデータ保全を警告する（Ｓ１０８）。
【００１８】
劣化した情報層のデータ列を退避する場合、データの退避回数（ｎ）を示すフラグを（ｎ＋１）として記録し、データコピーを行う（Ｓ１０５，Ｓ１０６）。劣化が認められた情報層は、情報媒体全体の管理領域にて、層情報を消去、あるいは無視するようにし、それ以降のアクセスを行わなくする（Ｓ１０７）。
【００１９】
なお、データの退避回数（ｎ）を示すフラグは、記録されたデータ列に埋蔵されても、データを管理する領域に記録されても、あるいは、データを退避した新しい情報層に記録されてもよい。
【図面の簡単な説明】
【００２０】
【図１】情報媒体全体を示す概略図
【図２】本発明に基づく、データ処理のルーチン
【符号の説明】
【００２１】
１    光情報媒体全体
２    情報媒体１の中の選択される層（単位）
【図１】
2006107651.tif 000003
【図２】
2006107651.tif 000004